(57)【要約】      （修正有）【課題】脱離作用及び吸着作用により、除染対象物から放射性セシウム等の放射性物質を除去することができると共に、除去した放射性物質を吸着して、他の場所への拡散・再付着を防止することができる除染用洗浄剤を提供する。【解決手段】放射性物質を脱離する成分としての酸化マグネシウム、水酸化マグネシウム等のマグネシウム化合物と、脱離した放射性物質を吸着する成分としての笠岡粘土等の粘土又はモンモリロナイト、イライト、ゼオライト等の粘土鉱物を含有する除染用洗浄剤。【選択図】図１
2015166702.tif 000002
【特許請求の範囲】
【請求項１】
放射性物質を脱離する成分としてのマグネシウム化合物と、脱離した放射性物質を吸着する成分としての粘土又は粘土鉱物を含有することを特徴とする除染用洗浄剤。
【請求項２】
上記マグネシウム化合物５〜４０重量％、上記粘土又は粘土鉱物５〜４０重量％を、２０〜９０重量％の水に懸濁させてスラリー状と成したことを特徴とする請求項１に記載の除染用洗浄剤。
【請求項３】
上記マグネシウム化合物が、酸化マグネシウム、水酸化マグネシウム、塩化マグネシウム、硫化マグネシウム、炭酸マグネシウム、炭酸カルシウムマグネシウム、硫酸マグネシウムの何れか１種以上であることを特徴とする請求項１又は２に記載の除染用洗浄剤。
【請求項４】
上記粘土又は粘土鉱物が、笠岡粘土、カオリナイト、モンモリロナイト、セリサイト、イライト、グローコナイト、クロライト、タルク、ゼオライトの何れか１種以上であることを特徴とする請求項１〜３の何れかに記載の除染用洗浄剤。
【発明の詳細な説明】
【技術分野】
【０００１】
本発明は除染用洗浄剤に係り、より詳しくは、脱離作用及び吸着作用により、除染対象物から放射性セシウム等の放射性物質を除去することができると共に、除去した放射性物質を吸着して、他の場所への拡散・再付着を防止することができる除染用洗浄剤に関する。
【背景技術】
【０００２】
２０１１年３月１１日に発生した東日本大震災に伴う福島第一原子力発電所の事故により大量の放射性物質が放出され、河川や土壌等、国土の広範囲が放射性物質で汚染される事態が生じた。放出された放射性物質の内、例えばセシウム１３７（１３７Ｃｓ）等は半減期が約３０年と非常に長いため飛散地域の長期的な被爆が懸念されている。また、放射性物質が付着した瓦礫や土壌等の大量の放射性廃棄物が行き場を失ったまま各地で滞留する事態が生じている。
【０００３】
斯かる状況を受け、放射性物質の飛散地域において大規模な除染作業が行われている。この除染作業においては、高圧洗浄水による洗浄や、界面活性剤やキレート剤、酸、有機成分等から構成される洗浄剤を添加した高圧洗浄水による洗浄等の方法が用いられている。
【０００４】
尚、従来の除染用洗浄剤や除染方法としては、例えば、特開平６−５９０９５号公報（特許文献１）、特開２０１３−１７８１９７号公報（特許文献２）、特開２０１３−１９５４１７号公報（特許文献３）がある。
【先行技術文献】
【特許文献】
【０００５】
【特許文献１】特開平６−５９０９５号公報
【特許文献２】特開２０１３−１７８１９７号公報
【特許文献３】特開２０１３−１９５４１７号公報
【発明の概要】
【発明が解決しようとする課題】
【０００６】
しかしながら、上記した従来の除染方法では、放射性物質が除染対象物の表面構造の間隙等に入り込んでしまった場合は、洗浄除去効果が得られにくく、高圧水やショットブラスト等で除染対象物の表面を剥離するようにしなければ、除去が困難な状況であった。
【０００７】
また、除染対象物から脱着させ、洗い流した放射性物質が、他の場所に拡散・付着して再汚染を引き起こす事態が見られ、適切な除染効果が得られにくい状況も生じている。
【０００８】
この発明は、従来の上記問題点に鑑みて案出されたものであり、その目的とするところは、脱離作用及び吸着作用により、除染対象物から放射性セシウム等の放射性物質を除去することができると共に、除去した放射性物質を吸着して、他の場所への拡散・再付着を防止することができる除染用洗浄剤を実現することにある。
【課題を解決するための手段】
【０００９】
上記目的を達成するため、本発明に係る請求項１に記載の除染用洗浄剤は、
放射性物質を脱離する成分としてのマグネシウム化合物と、脱離した放射性物質を吸着する成分としての粘土又は粘土鉱物を含有することを特徴とする。
【００１０】
本発明に係る請求項２に記載の除染用洗浄剤は、請求項１に記載の除染用洗浄剤において、
上記マグネシウム化合物５〜４０重量％、上記粘土又は粘土鉱物５〜４０重量％を、２０〜９０重量％の水に懸濁させてスラリー状と成したことを特徴とする。
【００１１】
本発明に係る請求項３に記載の除染用洗浄剤は、請求項１又は２に記載の除染用洗浄剤において、
上記マグネシウム化合物が、酸化マグネシウム、水酸化マグネシウム、塩化マグネシウム、硫化マグネシウム、炭酸マグネシウム、炭酸カルシウムマグネシウム、硫酸マグネシウムの何れか１種以上であることを特徴とする。
【００１２】
本発明に係る請求項４に記載の除染用洗浄剤は、請求項１〜３の何れかに記載の除染用洗浄剤において、
上記粘土又は粘土鉱物が、笠岡粘土、カオリナイト、モンモリロナイト、セリサイト、イライト、グローコナイト、クロライト、タルク、ゼオライトの何れか１種以上であることを特徴とする。
【発明の効果】
【００１３】
本発明の除染用洗浄剤は、放射性物質を脱離する成分としてのマグネシウム化合物と、脱離した放射性物質を吸着する成分としての粘土又は粘土鉱物を含有して成ることから、上記マグネシウム化合物の脱離作用によって除染対象物から放射性物質を速やかに脱離して除去することができると共に、除去した放射性物質を、上記粘土又は粘土鉱物の吸着作用によって吸着することができるので、他の場所への拡散・再付着を防止することができる。
【発明を実施するための最良の形態】
【００１４】
本発明に係る除染用洗浄剤は、放射性セシウム等の放射性物質を脱離する成分としてのマグネシウム化合物と、脱離した放射性物質を吸着する成分としての粘土又は粘土鉱物を含有するものである。
【００１５】
上記マグネシウム化合物としては、酸化マグネシウム［ＭｇＯ］、水酸化マグネシウム［Ｍｇ（ＯＨ）２］、塩化マグネシウム［ＭｇＣｌ２］、硫化マグネシウム［ＭｇＳ］、炭酸マグネシウム［ＭｇＣＯ３］、炭酸カルシウムマグネシウム［ＣａＭｇ（ＣＯ３）２］、硫酸マグネシウム［ＭｇＳＯ４］の何れか１種以上が該当する。
上記マグネシウム化合物は、粒子が微細であることから、除染対象物の表面構造の間隙等に入り込んだ放射性物質を脱離させることができる。
中でも、海産性の酸化マグネシウム［ＭｇＯ］又は水酸化マグネシウム［Ｍｇ（ＯＨ）２］は、粒子径が他のマグネシウム化合物より微細であり、除染対象物の表面構造の隙間により一層入り込みやすいため、放射性物質の脱離効果が高く、最も好適である。
【００１６】
放射性物質を吸着する粘土又は粘土鉱物としては、笠岡粘土、カオリナイト、モンモリロナイト、セリサイト、イライト、グローコナイト、クロライト、タルク、ゼオライトの何れか１種以上が該当する。
中でも、モンモリロナイト、イライト、ゼオライトは、放射性セシウムの大きさに合致した立体構造を有すると共に、非常に微細で比表面積が大きいことから、放射性セシウムの吸着性能に優れている。
【００１７】
本発明の上記除染用洗浄剤は、除染時の作業性に鑑み、流動性を有するスラリー状とするのが好ましい。このため、マグネシウム化合物５〜４０重量％、粘土又は粘土鉱物５〜４０重量％を、２０〜９０重量％の水に懸濁させることによりスラリー状と成して、本発明の除染用洗浄剤を構成するのが適当である。
【００１８】
尚、本発明の除染用洗浄剤は、除染効果を向上させるため高圧洗浄機での使用が望ましく、この場合、噴射し易いように、水で５倍以上に希釈して使用することが好ましい。
【００１９】
本発明の除染用洗浄剤は、放射性物質を脱離する成分としてのマグネシウム化合物と、脱離した放射性物質を吸着する成分としての粘土又は粘土鉱物を含有して成ることから、上記マグネシウム化合物の脱離作用によって除染対象物から放射性物質を脱離して除去することができると共に、除去した放射性物質を、上記粘土又は粘土鉱物の吸着作用によって吸着することができるので、他の場所への拡散・再付着を防止することができる。
【実施例】
【００２０】
以下に本発明を、実施例を挙げて更に詳細に説明する。
［きのこ栽培用コナラ原木（除染対象物）の除染試験］
除染対象物として「きのこ栽培用コナラ原木」を用意し、（１）何らの除染もしない試験区（未処理の試験区）、（２）高圧水洗浄の試験区、（３）２０倍に希釈した本発明に係る除染用洗浄剤で洗浄を行った試験区、（４）５倍に希釈した本発明に係る除染用洗浄剤で洗浄を行った試験区について、放射性セシウム（セシウム１３４、セシウム１３７）の測定を行った。
【００２１】
試験で使用した本発明の除染用洗浄剤は、マグネシウム化合物として水酸化マグネシウム、粘土又は粘土鉱物としてとして笠岡粘土を用い、上記水酸化マグネシウム８重量％及び笠岡粘土１０重量％を、８２重量％の水に懸濁させてスラリー状と成したものを用いた。笠岡粘土は、イライト等の立体構造を持つ鉱物担体を多く含有する粘土である。
【００２２】
具体的な試験方法は以下の通りである。
（１）未処理の試験区（ブランク）
約１００Ｂｑ／ｋｇの放射性セシウムを持つ、きのこ（しいたけ）栽培用のコナラ原木（長さ約６０ｃｍ×直径約８ｃｍ）を３本用意し、「きのこ原木及び菌床用培地中の放射性セシウム測定のための検査方法（林野庁23生産第4952号、23林政経第229号）」に従い、セシウム１３４及びセシウム１３７の測定を行った。
（２）高圧水洗浄の試験区
約１００Ｂｑ／ｋｇの放射性セシウムを持つ、きのこ（しいたけ）栽培用のコナラ原木（長さ約６０ｃｍ×直径約８ｃｍ）を３本用意し、高圧洗浄機（ケルヒャー社製）を用いて１０Ｌ／２回水洗を行い、洗浄後、「きのこ原木及び菌床用培地中の放射性セシウム測定のための検査方法（林野庁23生産第4952号、23林政経第229号）」に従い、セシウム１３４及びセシウム１３７の測定を行った。
（３）２０倍に希釈した本発明に係る除染用洗浄剤で洗浄を行った試験区
約１００Ｂｑ／ｋｇの放射性セシウムを持つ、きのこ（しいたけ）栽培用のコナラ原木（長さ約６０ｃｍ×直径約８ｃｍ）を３本用意し、高圧洗浄機（ケルヒャー社製）を用いて、２０倍に希釈した本発明の除染用洗浄剤１０Ｌ使用し、原木を高圧洗浄した。その後、水１０Ｌを使用し高圧洗浄を行い洗い流した。洗浄後、「きのこ原木及び菌床用培地中の放射性セシウム測定のための検査方法（林野庁23生産第4952号、23林政経第229号）」に従い、セシウム１３４及びセシウム１３７の測定を行った。
（４）５倍に希釈した本発明に係る除染用洗浄剤で洗浄を行った試験区
約１００Ｂｑ／ｋｇの放射性セシウムを持つ、きのこ（しいたけ）栽培用のコナラ原木（長さ約６０ｃｍ×直径約８ｃｍ）を３本用意し、高圧洗浄機（ケルヒャー社製）を用いて、５倍に希釈した本発明の除染用洗浄剤１０Ｌ使用し、原木を高圧洗浄した。その後、水１０Ｌを使用し高圧洗浄を行い洗い流した。洗浄後、「きのこ原木及び菌床用培地中の放射性セシウム測定のための検査方法（林野庁23生産第4952号、23林政経第229号）」に従い、セシウム１３４及びセシウム１３７の測定を行った。
【００２３】
試験結果を表１及び図１に示す。
【表１】
2015166702.tif 000003
【００２４】
表１及び図１に示す通り、高圧水洗浄の試験区における放射性セシウムは、１２７Ｂｋ／ｋｇ（セシウム１３４が４３Ｂｋ／ｋｇ、セシウム１３７が８４Ｂｋ／ｋｇ）であり、未処理の試験区の放射性セシウム１２５Ｂｋ／ｋｇと同等であることから、除染効果が全く得られなかった。
これに対して、２０倍に希釈した本発明に係る除染用洗浄剤で洗浄を行った試験区の放射性セシウムは７０Ｂｋ／ｋｇ（セシウム１３４が２１Ｂｋ／ｋｇ、セシウム１３７が４９Ｂｋ／ｋｇ）、５倍に希釈した本発明に係る除染用洗浄剤で洗浄を行った試験区の放射性セシウムは７５Ｂｋ／ｋｇ（セシウム１３４が２３Ｂｋ／ｋｇ、セシウム１３７が５２Ｂｋ／ｋｇ）であり、未処理の試験区に比べて４０％以上も放射性セシウムを低減させる効果の有ることが確認できた。
【図面の簡単な説明】
【００２５】
【図１】未処理の試験区、高圧水洗浄を行った試験区、２０倍に希釈した除染用洗浄剤で洗浄を行った試験区、５倍に希釈した除染用洗浄剤で洗浄を行った試験区の放射性セシウムの測定結果（Ｂｋ／ｋｇ）を示すグラフである。
【図１】
2015166702.tif 000004